(57)【特許請求の範囲】
【請求項１】
第１の表示手段と、前記第１の表示手段とは種類、表示制御するための駆動方法および表示制御をするための駆動上の態様の少なくともいずれか一つが異なる、前記第１の表示手段よりも表示変更速度が速い、および、前記第１の表示手段よりも消費電力が小さい、の少なくともいずれかである第２の表示手段とを備え、前記第１の表示手段および前記第２の表示手段を用いて複数の機能を表示する電子機器において、
前記電子機器のモードを、第１の機能を表示する第１の表示モードから、前記第１の機能とは異なる第２の機能を表示する第２の表示モードへの変更要求を取得する取得手段と、
前記取得手段によって取得された変更要求に基づいて、前記第１の表示モードから前記第２の表示モードに変更するとともに、前記第１の表示手段および前記第２の表示手段の表示内容を変更する表示変更手段と、
を備え、
前記表示変更手段は、前記変更要求があった場合に、前記第１の機能が表示されている前記第１の表示手段の表示内容を変更することなく、前記第２の表示手段の表示内容のみを前記第２の表示モードへの移行を告知するための表示に変更する準備モードに変更し、その後、前記第１の表示手段の表示内容を変更することを特徴とする電子機器。
【請求項２】
前記表示変更手段は、前記変更要求があった場合に、前記電子機器のモードを、前記第１の機能が表示されている前記第１の表示手段の表示内容を変更することなく、前記第２の表示手段の表示内容のみを、前記第２の表示モードへの移行を告知するための表示に変更する第１の準備モードに変更し、その後、前記第１の表示手段の表示内容を変更し、その後、さらに前記第２の表示手段の表示内容を変更することを特徴とする請求項１に記載の電子機器。
【請求項３】
前記表示変更手段は、前記変更要求があった場合に、前記電子機器のモードを、前記第１の機能が表示されている前記第１の表示手段の表示内容を変更することなく、前記第２の表示手段の表示内容のみを、前記第２の表示モードへの移行を告知するための表示に変更する第１の準備モードに変更し、その後、さらに、前記第１の表示内容の移行を告知するための表示に変更する第２の準備モードに変更することを特徴とする請求項１に記載の電子機器。
【請求項４】
前記取得手段が所定の条件を検出する検出手段であり、
前記表示変更手段は、前記検出手段によって前記所定の条件が検出されたことを条件に、第１表示モード、第２表示モード、第１準備モード、第２準備モード間の変更をおこなうことを特徴とする請求項１に記載の電子機器。
【請求項５】
外部操作部材を有し、
前記検出手段が、前記外部操作部材の操作の検出手段であることを特徴とする請求項４に記載の電子機器。
【請求項６】
前記第１の表示手段は、一つまたは複数の指針から構成されていることを特徴とする請求項１〜５のいずれか一つに記載の電子機器。
【請求項７】
前記第１の表示手段は、発光デバイスを含むことを特徴とする請求項１〜５のいずれか一つに記載の電子機器。
【請求項８】
前記第１の表示手段は、前記第２の表示モードにおいて、複数の情報を表示することを特徴とする請求項１〜５のいずれか一つに記載の電子機器。
【請求項９】
前記第２の表示手段は、液晶表示装置から構成されていることを特徴とする請求項１〜５のいずれか一つに記載の電子機器。
【請求項１０】
前記第２の表示手段は、一つまたは複数の指針から構成されていることを特徴とする請求項１〜５のいずれか一つに記載の電子機器。
【請求項１１】
時刻を計測する時刻計測手段と、
時刻以外の機能実現のための物理量を計測する機能計測手段と、
を備え、
前記第１の表示モードは、前記時刻計測手段の計測結果を表示し、前記第２の表示モードは、前記機能計測手段の計測結果を表示することを特徴とする請求項１〜５のいずれか一つに記載の電子機器。
【請求項１２】
前記機能計測手段が、圧力検知手段と、当該圧力検知手段によって検出された圧力データから水深を算出する水深算出手段と、を含み、
前記第２の表示モードにおいて、前記水深算出手段によって算出された水深に関する情報を表示することを特徴とする請求項１１に記載の電子機器。
【請求項１３】
前記検出手段は、水を検出する水検出手段であることを特徴とする請求項４または５に記載の電子機器。
【請求項１４】
前記機能計測手段が、圧力検知手段と、
当該圧力検知手段によって検出された圧力データから水深を算出する水深算出手段と、を備え、
前記検出手段は、所定水深を検出する水深検出手段であることを特徴とする請求項４または５に記載の電子機器。
【請求項１５】
潜水計測時間を計測する潜水時間計測手段を備え、
前記第２の表示モードは、前記潜水時間計測手段によって計測された計測結果を表示することを特徴とする請求項１〜５のいずれか一つに記載の電子機器。
【請求項１６】
圧力検知手段と、当該圧力検知手段によって検出された圧力データから水深を算出する水深算出手段と、を備え、
最大潜水深度を前記計測結果を表示している指針以外の指針によって表示することを特徴とする請求項１５に記載の電子機器。
【請求項１７】
前記機能計測手段が、圧力検知手段と、当該圧力検知手段によって検出された気圧データから高度を算出する高度算出手段と、を含み、
前記第２の表示モードにおいて、前記高度算出手段によって算出された高度に関する情報を表示することを特徴とする請求項１１に記載の電子機器。
【請求項１８】
前記機能計測手段が、磁気検出手段と、当該磁気検出手段によって検出された磁気データから方位を算出する方位算出手段と、を含み、
前記第２の機能モードにおいて、前記方位算出手段によって算出された方位に関する情報を表示することを特徴とする請求項１５に記載の電子機器。
【請求項１９】
前記検出手段が、所定高度の検出、高度補正の実施の検出、および水平検出の少なくともいずれか一つをおこなうことを特徴とする請求項４に記載の電子機器。
【請求項２０】
第１の表示手段と、前記第１の表示手段とは種類、表示制御するための駆動方法および表示制御をするための駆動上の態様の少なくともいずれか一つが異なる、前記第１の表示手段よりも表示変更速度が速い、および、前記第１の表示手段よりも消費電力が小さい、の少なくともいずれかである第２の表示手段とを備え、前記第１の表示手段および前記第２の表示手段を用いて複数の機能を表示する電子機器の表示制御方法であって、
前記電子機器のモードを、第１の機能を表示する第１の表示モードの表示から、前記第１の機能とは異なる第２の機能を表示する第２の表示モードへの変更要求を取得する取得工程と、
前記取得工程によって取得された変更要求に基づいて、前記第１の表示モードから前記第２の表示モードに変更するとともに、前記第１の表示手段および前記第２の表示手段の表示内容を変更する表示変更工程と、
を含み、
前記表示変更工程は、前記変更要求があった場合に、前記第１の機能が表示されている前記第１の表示手段の表示内容を変更することなく、前記第２の表示手段の表示内容のみを前記第２の表示モードへの移行を告知するための表示に変更する準備モードに変更し、その後、前記第１の表示手段の表示内容を変更することを特徴とする表示制御方法。
【発明の詳細な説明】
【技術分野】
【０００１】
この発明は、複数種類の表示手段を備えた電子機器およびその電子機器の表示制御方法に関する。
【背景技術】
【０００２】
近年、電子機器、たとえばダイブコンピュータなどの電子機器は、一つの表示画面だけでなく、複数種類の表示手段を同時に用いて、多種の情報の提供を図るようになってきている。特に、液晶画面などの表示画面だけでなく、指針も同時に用いて、多種の情報の提供を図るようになってきている（たとえば、特許文献１参照。）。指針を用いたいわゆるアナログ表示は、表示画面を用いて数字や記号などを表示するデジタル表示に比べて、イメージから直感的にその物理量を把握することができるため、特に潜水中の操作者にとってはより確実かつ安全な情報の提供をすることができる。【０００３】
また従来、通常の時刻表示モードと潜水モードなどの機能モードとの自動切り替えをおこなうことで、陸上と水中の両方でそれぞれ使用することができる電子機器が知られている。たとえば、所定水深よりも深く潜水した場合に、潜水経過時間の計測を開始するダイバーズ用情報処理装置が開示されている（たとえば、特許文献２参照。）。また、水検出回路と水深測定回路を用いて潜水を感知し、潜水モードに切り替える水深計測機能付電子機器が開示されている（たとえば、特許文献３参照。）。【０００４】
これらの電子機器において、潜水モードなどの機能モードへの切り替えは、デジタル表示画面に表示される表示内容のみを変更することによっておこなう。そして、デジタル表示画面に表示される表示内容の変更は瞬時におこなうことができるため、デジタル表示画面を用いた潜水モードなどの機能モードへの切り替えは容易におこなうことができた。【０００５】
【特許文献１】特開平７−２９４６７３号公報（図１）
【特許文献２】特開平１０−３１６０９０号公報（第５頁、図１）
【特許文献３】国際公開第９４／２０８８６号パンフレット（第７頁、第２図）
【発明の開示】
【発明が解決しようとする課題】
【０００６】
しかしながら、上記特許文献１〜３にあっては、指針を用いたアナログ表示など、表示の変更に時間を要したり、消費電力が大きくなる表示手段も含めた各種機能モード（たとえば潜水モード）への切り替えを想定しておらず、したがって、各種機能モード（潜水モード）への切り替えのための制約が大きい表示手段（たとえば指針など）の駆動の制御を円滑におこなうことができなかったり、表示が見苦しかったりするという問題点があった。また、誤操作などでモードの切り替わってしまった場合は、モードを切り替えたり、さらに元に戻すために多くの消費電力が費やされるという問題点があった。【０００７】
具体的には、たとえば、水を感知しただけで指針の駆動を制御すると、潜水ではないと判断した場合に、指針を通常の時刻表示モード（現在時刻表示モードなど）に戻さなければならず、その間、指針から何らの情報も提供されないことになるとともに、指針を元に戻す駆動のための無駄な電力を消費してしまう。一方、潜水であるが確実に確認されてから指針を駆動したのでは、所定の位置まで指針が回動するのに時間を要するため、潜水モードへの切り替えが遅れてしまうだけでなく、指針の回動には、デジタル表示における表示画面の変更と比較して多くの消費電力が必要となるという問題点があった。【０００８】
そもそも、指針を用いたアナログ表示に限らず、複数種類の表示手段が存在する場合に、その種類、表示制御するための駆動方法および表示制御をするための駆動上の態様の少なくともいずれか一つが異なるために、表示内容を変更する際の制約（変更に時間を要するなど）が生じる場合があり、それゆえに、表示の内容を切り替えを円滑におこなうことができないという問題があった。【０００９】
この発明は、上述した従来技術による問題点を解消するため、複数種類の表示手段を同時に用いて、多種の情報を効率的に提供できるとともに、通常の時刻表示モードと機能モードとの自動切り替えを円滑にかつ確実におこなうことが可能な電子機器および表示制御方法を提供することを目的とする。
【課題を解決するための手段】
【００１０】
上述した課題を解決し、目的を達成するため、この発明にかかる電子機器は、第１の表示手段と、前記第１の表示手段とは種類、表示制御するための駆動方法および表示制御をするための  駆動上の態様の少なくともいずれか一つが異なる第２の表示手段とを備え、前記第１の表示手段および前記第２の表示手段を用いて複数の機能を表示する電子機器において、前記電子機器のモードを、第１の機能を表示する第１の表示モードから、前記第１の機能とは異なる第２の機能を表示する第２の表示モードへの変更要求を取得する取得手段と、前記取得手段によって取得された変更要求に基づいて、前記第１の表示モードから前記第２の表示モードに変更するとともに、前記第１の表示手段および前記第２の表示手段の表示内容を変更する表示変更手段と、を備え、前記表示変更手段は、前記変更要求があった場合に、前記第１の機能が表示されている前記第１の表示手段の表示内容を変更することなく、前記第２の表示手段の表示内容のみを変更し、その後、前記第１の表示手段の表示内容を変更することを特徴とする。【００１１】
また、この発明にかかる電子機器は、上記発明において、前記表示変更手段が、前記変更要求があった場合に、前記電子機器のモードを、前記第１の機能が表示されている前記第１の表示手段の表示内容を変更することなく、前記第２の表示手段の表示内容のみを、前記第２の表示モードへの移行を告知するための表示に変更する準備モードに変更し、その後、前記第１の表示手段の表示内容を変更することを特徴とする。【００１２】
また、この発明にかかる電子機器は、上記発明において、前記表示変更手段が、前記変更要求があった場合に、前記電子機器のモードを、前記第１の機能が表示されている前記第１の表示手段の表示内容を変更することなく、前記第２の表示手段の表示内容のみを、前記第２の表示モードへの移行を告知するための表示に変更する第１の準備モードに変更し、その後、前記第１の表示手段の表示内容を変更し、その後、さらに前記第２の表示手段の表示内容を変更することを特徴とする。【００１３】
また、この発明にかかる電子機器は、上記発明において、前記表示変更手段が、前記変更要求があった場合に、前記電子機器のモードを、前記第１の機能が表示されている前記第１の表示手段の表示内容を変更することなく、前記第２の表示手段の表示内容のみを、前記第２の表示モードへの移行を告知するための表示に変更する第１の準備モードに変更し、その後、さらに、前記第１の表示内容の移行を告知するための表示に変更する第２の準備モードに変更することを特徴とする。【００１４】
また、この発明にかかる電子機器は、上記発明において、前記取得手段が所定の条件を検出する検出手段であり、前記表示変更手段が、前記検出手段によって前記所定の条件が検出されたことを条件に、第１表示モード、第２表示モード、第１準備モード、第２準備モード間の変更をおこなうことを特徴とする。【００１５】
また、この発明にかかる電子機器は、上記発明において、外部操作部材を有し、前記検出手段が、前記外部操作部材の操作の検出手段であることを特徴とする。【００１６】
また、この発明にかかる電子機器は、上記発明において、前記第１の表示手段が、前記第２の表示手段よりも表示変更速度より遅いことを特徴とする。【００１７】
また、この発明にかかる電子機器は、上記発明において、前記第１の表示手段が、前記第２の表示手段よりも消費電力が大きいことを特徴とする。【００１８】
また、この発明にかかる電子機器は、上記発明において、前記第１の表示手段が、一つまたは複数の指針から構成されていることを特徴とする。【００１９】
また、この発明にかかる電子機器は、上記発明において、前記第１の表示手段が、発光デバイスを含むことを特徴とする。【００２０】
また、この発明にかかる電子機器は、上記発明において、前記第１の表示手段が、前記第２の表示モードにおいて、複数の情報を表示することを特徴とする。【００２１】
また、この発明にかかる電子機器は、上記発明において、前記第２の表示手段が、液晶表示装置から構成されていることを特徴とする。【００２２】
また、この発明にかかる電子機器は、上記発明において、前記第２の表示手段が、一つまたは複数の指針から構成されていることを特徴とする。【００２３】
また、この発明にかかる電子機器は、上記発明において、時刻を計測する時刻計測手段と、時刻以外の機能実現のための物理量を計測する機能計測手段と、を備え、前記第１の表示モードが、前記時刻計測手段の計測結果を表示し、前記第２の表示モードが、前記機能計測手段の計測結果を表示することを特徴とする。【００２４】
また、この発明にかかる電子機器は、上記発明において、前記機能計測手段が、圧力検知手段と、当該圧力検知手段によって検出された圧力データから水深を算出する水深算出手段と、を含み、前記第２の表示モードにおいて、前記水深算出手段によって算出された水深に関する情報を表示することを特徴とする。【００２５】
また、この発明にかかる電子機器は、上記発明において、前記検出手段が、水を検出する水検出手段であることを特徴とする。【００２６】
また、この発明にかかる電子機器は、上記発明において、前記機能計測手段が、圧力検知手段と、当該圧力検知手段によって検出された圧力データから水深を算出する水深算出手段と、を備え、前記検出手段が、所定水深を検出する水深検出手段であることを特徴とする。【００２７】
また、この発明にかかる電子機器は、上記発明において、潜水計測時間を計測する潜水時間計測手段を備え、前記第２の表示モードが、前記潜水時間計測手段によって計測された計測結果を表示することを特徴とする。【００２８】
また、この発明にかかる電子機器は、上記発明において、圧力検知手段と、当該圧力検知手段によって検出された圧力データから水深を算出する水深算出手段と、を備え、最大潜水深度を前記計測結果を表示している指針以外の指針によって表示することを特徴とする。【００２９】
また、この発明にかかる電子機器は、上記発明において、前記機能計測手段が、圧力検知手段と、当該圧力検知手段によって検出された気圧データから高度を算出する高度算出手段と、を含み、前記第２の表示モードにおいて、前記高度算出手段によって算出された高度に関する情報を表示することを特徴とする。【００３０】
また、この発明にかかる電子機器は、上記発明において、前記機能計測手段が、磁気検出手段と、当該磁気検出手段によって検出された磁気データから方位を算出する方位算出手段と、を含み、前記第２の機能モードにおいて、前記方位算出手段によって算出された方位に関する情報を表示することを特徴とする。【００３１】
また、この発明にかかる電子機器は、上記発明において、前記検出手段が、所定高度の検出、高度補正の実施の検出、および水平検出の少なくともいずれか一つをおこなうことを特徴とする。【００３２】
また、この発明にかかる表示制御方法は、第１の表示手段と、前記第１の表示手段とは種類、表示制御するための駆動方法および表示制御をするための駆動上の態様の少なくともいずれか一つが異なる第２の表示手段とを備え、前記第１の表示手段および前記第２の表示手段を用いて複数の機能を表示する電子機器の表示制御方法であって、前記電子機器のモードを、第１の機能を表示する第１の表示モードの表示から、前記第１の機能とは異なる第２の機能を表示する第２の表示モードへの変更要求を取得する取得工程と、前記取得工程によって取得された変更要求に基づいて、前記第１の表示モードから前記第２の表示モードに変更するとともに、前記第１の表示手段および前記第２の表示手段の表示内容を変更する表示変更工程と、を含み、前記表示変更工程が変更要求があった場合に、前記第１の機能が表示されている前記第１の表示手段の表示内容を変更することなく、前記第２の表示手段の表示内容のみを変更し、その後、前記第１の表示手段の表示内容を変更することを特徴とする。
【発明の効果】
【００３３】
本発明によれば、複数種類の表示手段を同時に用いて、多種の情報を効率的に提供できるとともに、通常の時刻表示モードと機能モードとの自動切り替えを円滑にかつ確実におこなうことができる電子機器および表示制御方法が得られるという効果を奏する。
【図面の簡単な説明】
【００３４】
【図１−１】図１−１は、この発明の概要を示す説明図である。
【図１−２】図１−２は、この発明の概要を示す説明図である。
【図２】図２は、この発明のシステム構成を示す説明図である。
【図３】図３は、水深計の場合の表示モードの流れを示す説明図である。
【図４】図４は、水深計の場合の別の表示モードの流れを示す説明図である。
【図５】図５は、水深計の場合の別の表示モードの流れを示す説明図である。
【図６】図６は、水深計の場合の別の表示モードの流れを示す説明図である。
【図７】図７は、水深計の場合の別の表示モードの流れを示す説明図である。
【図８】図８は、高度計の場合の表示モードの流れを示す説明図である。
【図９】図９は、方位計の場合の表示モードの流れを示す説明図である。
【図１０】図１０は、方位計の場合の別の表示モードの流れを示す説明図である。
【図１１】図１１は、この発明の本実施の形態にかかる電子機器の外観を示す説明図である。
【図１２】図１２は、本実施の形態にかかる電子機器の構成を示す説明図である。
【図１３】図１３は、本実施の形態にかかる電子機器の機能的構成を示す説明図である。
【図１４】図１４は、検出される水深と表示モードの変更との関係を示す説明図である。
【図１５】図１５は、本実施の形態にかかる電子機器の動作の内容を示すフローチャートである。
【図１６】図１６は、本実施の形態にかかる電子機器の動作の内容を示すフローチャートである。
【図１７】図１７は、この発明の実施例にかかる電子機器の表示制御の内容を示す説明図（その１）である。
【図１８】図１８は、この発明の実施例にかかる電子機器の表示制御の内容を示す説明図（その２）である。
【図１９】図１９は、この発明の実施例にかかる電子機器の表示制御の内容を示す説明図（その３）である。
【図２０】図２０は、この発明の実施例にかかる電子機器の表示制御の内容を示す説明図（その４）である。
【図２１】図２１は、この発明の実施例にかかる電子機器の表示制御の内容を示す説明図（その５）である。
【図２２】図２２は、この発明の実施例にかかる電子機器の表示制御の内容を示す説明図（その６）である。
【符号の説明】
【００３５】
２０  制御部
２１  入力部
２２  時刻計測部
２３  機能計測部
２４  モード移行条件検出部
２５  モード移行制御部
２６  表示駆動部
２７ａ，２７ｂ  ドライバ
２８  第１表示体
２９  第２表示体
１００  （電子機器の）本体
１０２（１０２ａ、１０２ｂ、１０２、１０２ｄ）  操作ボタン
１０３  秒針
１０４  分針
１０５  時針
１０６  機能針
１０７  デジタル表示部
２００  マイコンＩＣ
２０１  ＲＡＭ
２０２  ＲＯＭ
２０３  モータ駆動回路
２０６  液晶駆動回路
２０７  ソーラセル
２０８  二次電池
２０９  充電制御回路
２１０  スイッチ部
２１２  圧力センサ
２１４  水感知センサ
２１５  水感知センサ部制御回路
２１６  アラーム（ブザー）
２１８  ＬＥＤ
３０１  水検出部
３０２  第１水深検出部
３０３  第２水深検出部
３０４  表示制御部
３０５  駆動制御部
３０６  第３水深検出部
３０７  計測部
３０８  リセット部
【発明を実施するための最良の形態】
【００３６】
（この発明の概要）
この発明は、電子機器において、通常モードから所定の機能モードへモードを変更する際に、当該電子機器の表示体の表示モードを、通常モードから一旦準備モードを経てから機能モードへ移行することを特徴としている。図１−１および図１−２は、この発明の概要を示す説明図である。【００３７】
この発明にかかる電子機器は、第１表示体２８と、第１表示体２８とは種類、表示制御するための駆動方法および表示制御をするための駆動上の態様の少なくともいずれか一つが異なる第２表示体２９とを備え、これらの第１表示体２８および第２表示体２９を用いて複数の機能を表示する。ここで、第１表示体２８は、たとえば、第２表示体２９と比較して駆動上制約の大きい（具体的には、たとえば表示変更速度が遅いあるいは消費電力が大きいなどの）表示デバイスである。具体的には、たとえば、デジタル表示とアナログ表示のコンビネーションによる表示におけるアナログ表示が該当する。アナログ表示は、より具体的には、たとえば、指針（時針、分針、秒針、機能針などのうちの少なくともいずれか一つ）による表示や、日板、曜日板その他の板状の表示部材による表示などが含まれる。【００３８】
一方、第２表示体２９は、たとえば、第１表示体２８と比較して駆動上制約が比較的小さい（具体的には、たとえば表示変更速度が速いあるいは消費電力が小さい）表示デバイスである。具体的には、たとえば、デジタル表示とアナログ表示のコンビネーションによる表示におけるデジタル表示が該当する。デジタル表示は、より具体的にはＬＣＤ表示などが含まれる。【００３９】
図１−１において、通常モード１１とは、時刻を計測するモードであり、機能モード１３とは、時刻以外の機能実現のための物理量を計測するモードである。具体的には、通常モード１１とは、時刻・カレンダを表示するモードであり、これに対して、機能モード１３とは、水深計、高度計、方位計の計測を含む計測、クロノグラフなどの結果を表示するモードである。そして、少なくとも、機能モード１３においては、その機能表示の充実を図るため、第１表示体２８と第２表示体２９の両方で機能表示をおこなうのがより望ましい。これは、たとえば、アナログ表示は表示を大きくでき、操作者の直感に訴えやすく、一方、デジタル表示は、表示の自由度がアナログ表示に比べて大きいからである。【００４０】
通常モード１１で表示している電子機器（たとえば腕時計）に対して、機能モード１３の表示要求があった場合に、即座に機能モード１３の表示に変更をするのではなく、一旦、準備モード１２に変更した後、所定のタイミング（この所定のタイミングについての詳細は後述する）で、機能モード１３に変更する。その後、機能を終了させ、再度、通常モード１４へ移行する。なお、通常モード１１と１４は同一のモードであるが、以降の説明のためこのような表記をおこなっている。【００４１】
準備モード１２では、具体的には、第１表示体２８の表示モードを変更することなく、第２表示体２９の表示モードのみを変更する。したがって、図１−１において、準備モード１２における第１表示体２８は「不変」になっており、第２表示体２９は「変更」になっている。第２表示体２９を「変更」にすることによって、機能モード１３への移行を操作者に告知する役割を果たす。そして、機能モード１３へ移行する際に、第１表示体２８の表示モードを変更する。したがって、図１−１において、機能モード１３における第１表示体２８は「変更」になっている。【００４２】
また、機能モード１３へ移行する際に、第２表示体２９の表示モードは、変更してもよく、また、変更しなくてもよい。すなわち、準備モード１２へ移行する際に第２表示体２９が表示した表示内容が、機能モード１３の表示内容であれば、機能モード１３へ移行した際に、表示内容を変更する必要はない。これに対して、準備モード１２へ移行する際に第２表示体２９が表示した表示内容が、準備モード１２の専用の表示内容であれば、機能モード１３へ移行した際に、表示内容を機能モード１３の表示内容へ変更する。したがって、図１−１において、機能モード１３における第２表示体２９は「不問」になっている。【００４３】
また準備モード１２は、図１−２に示すように、「準備モード１」と「準備モード２」の２つの準備モードから構成されていてもよい。「準備モード１」では、具体的には、第１表示体２８の表示モードを変更することなく、第２表示体２９の表示モードのみを変更する。したがって、図１−２において、「準備モード１」における第１表示体２８は「不変」になっており、第２表示体２９は「変更」になっている。これによって、「準備モード１」は、図１−１に示した準備モード１２と同様に、機能モード１３への移行を操作者に告知する役割を果たす。【００４４】
つぎに、所定のタイミングで、「準備モード１」から「準備モード２」へ移行する。「準備モード２」では、具体的には、第２表示体２９の表示モードを変更する。したがって、図１−２において、「準備モード２」における第１表示体２８は「変更」になっている。第２表示体２９は、「準備モード１」においてすでに表示内容を変更しているので、「準備モード２」においては、表示モードを変更してもよく、変更しなくてもよい。変更することによって、機能モード１３への移行を操作者へ段階的に告知することができる。さらに、「準備モード２」から機能モード１３へ移行する際には、第２表示体２９の表示内容を変更してもよく、また、変更しなくてもよい。【００４５】
各モードからつぎのモードへの移行は、上記所定のタイミング、すなわち、当該モードへの移行した後、図２に示す後述するモード移行条件検出部２４によって所定の条件が検出された場合におこなわれる。モード移行条件は、たとえば、操作者からの指示の入力、水深計における水の検知や所定水深の検出、高度計における所定高度の検出化、方位計における水平検知などを含む。【００４６】
（この発明のシステム構成）
つぎに、この発明のシステム構成について説明する。図２は、この発明のシステム構成を示す説明図である。図２において、この発明にかかる電子機器は、制御部２０と、入力部２１と、時刻計測部２２と、機能計測部２３と、モード移行条件検出部２４と、表示駆動部２６と、第１表示体２８と、第２表示体２９と、を含む構成となっている。また、制御部２０は、電子機器全体の制御を司るとともに、モード移行制御部２５を備えている。また、表示駆動部２６は、第１表示体２８用のドライバ２７ａと第２表示体２９用のドライバ２７ｂを備えている。【００４７】
入力部２１は、操作者からの各種指示情報の入力を受け付け、受け付けられた指示情報をモード移行条件検出部２４へ伝える。各種指示情報の入力は、たとえば、後述する図１３に示す操作ボタン１０２の押下などを含む。時刻計測部２２は、時刻を計測し、計測結果を制御部２０へ伝える。機能計測部２３は、時刻以外の機能実現のための物理量を計測する。【００４８】
機能計測部２３は、具体的には、たとえば、図示を省略する圧力検知部と、当該圧力検知部よって検出された圧力データから水深を算出する水深算出部とから構成され、水深を計測するものであってもよい。機能計測部２３は、より具体的には、後述する図１３に示す水検出部３０１、第１水深検出部３０２、第２水深検出部３０３、第３水深検出部３０６および計測部３０７などによってその機能を実現することができる。【００４９】
また、機能計測部２３は、圧力検知部と、当該圧力検知部によって検出された気圧データから高度を算出する高度算出部をから構成され、高度を計測するものであってもよい。また、機能計測部２３は、磁気検出部と、当該磁気検出部によって検出された磁気データから方位を算出する方位算出部とから構成され、方位を計測するものであってもよい。【００５０】
モード移行条件検出部２４は、通常モードと準備モード間の移行条件、準備モードと機能モード間の移行条件、さらには機能モードから通常モードへの移行条件を含むモード移行するための条件をあらかじめ登録しておき、入力部２１から伝えられた操作者の指示情報、機能計測部２３から伝えられた計測結果に関する情報が、モード移行をする条件を具備するか否かを判断する。そして、この結果を制御部２０へ伝える。【００５１】
モード移行制御部２５は、モード移行条件検出部２４から伝えられた結果に基づいて、モード移行を実行するか否かを決定する。モード移行が決定した場合は、その旨が表示駆動部２６に伝えられる。具体的には、各表示体の駆動、停止、保持などを、表示駆動部２６へ指示する。表示駆動部２６は、各表示体の駆動を制御するドライバ２７ａ、２７ｂを用いて、該当する表示モードへの変更を実行する。【００５２】
モード移行条件検出部２４，モード移行制御部２５，表示駆動部２６は、より具体的には、後述する図１３に示す表示制御部３０４、駆動制御部３０５などによってその機能を実現することができる。【００５３】
（水深計の表示モード）
つぎに、水深計の場合の表示モードについて説明する。図３〜図７は、水深計の場合の表示モードの流れを示す説明図である。図３において、通常モードでは、時刻表示モードであり、時刻情報、カレンダ情報、電池の残量情報を表示している。符号３１は、第２表示体２９としてのＬＣＤである。ＬＣＤ３１には、現在時刻を「１１：０５」とデジタル表示しているとともに、日曜日であることを示す「ＳＵＮ」を表示している。【００５４】
符号３２は分針であり、符号３３は時針であり、符号３４は機能針である。分針３２および時針３３によって、１１時５分であることをアナログ表示しているとともに、機能針３４が電池の残量を示している。機能針３４によると、電池の残量はＥｍｐｔｙと中程度の中間あたりを示している。これらの指針３２〜３４が第１表示体２８に該当する。【００５５】
つぎに、水を感知（水に濡れたことを感知）するか、あるいは、潜水モードスイッチ（モードＳＷ）が操作者によって押下された場合は、通常モードから準備モード１へ移行する。準備モード１では、分針３２、時針３３、機能針３４は通常モードとなんら変化なく、引き続き現在時刻と電池残量をアナログ表示している。これに対して、ＬＣＤ３１は、現在時刻および曜日の表示を消去し、代わりに、水深モードの準備を開始した旨を示す「ＲＥＡＤＹ」の文字を表示する。【００５６】
さらに、水深５０ｃｍ（ただし水深値は任意）を検出した場合は、準備モード１から準備モード２へ移行する。準備モード２では、ＬＣＤ３１は、「ＲＥＡＤＹ」の文字の表示から、現在時刻「１１：０５」と、潜水を意味する下側矢印「↓」を表示する。また、分針３２は、１２時の位置に移動し、時針３３は、潜水中を示す「ＤＩＶＥ」の文字（あらかじめ文字盤に印刷などされている）を指し示すように６時の位置に移動する。さらに、機能針３４は、最大潜水深度を示すために、「ＲＥＡＤＹ」すなわち「０ｍ」（図１１を参照）の位置へ移動する。【００５７】
つぎに、水深１００ｃｍ（ただし水深値は任意）を検出した場合は、準備モード２から機能モードへ移行する。機能モードでは、ＬＣＤ３１は、現在の深度をデジタル表示する（「１０Ｍ」）。分針３２は、潜水時間を表示する。図３にあっては、分針３２が１時の位置を指しているので、潜水してから５分経過したことが直感的に理解できる。時針３３は、潜水中を示すまた、時針３３は「ＤＩＶＥ」の文字を指し示すように６時の位置に止まったままである。このような状態を保持することによって、現在潜水モードを表示中であることが容易に理解できる。さらに、機能針３４も現時点における最大潜水深度「１０Ｍ（図１１を参照）」を示している。【００５８】
その後、操作者によって潜水モードのストップスイッチが押下されるか、水深が再び１００ｃｍになるのを待って、なった場合には、機能モードから通常モードへ移行し、再び、現在時刻、曜日、電池の残量を表示する。【００５９】
図４では、機能針３４の代わりに、板状の表示部材４１を用いた最大潜水深度をバー表示している。板状表示部材は、たとえば、円盤状の形状をしており、文字盤の下側に取り付けられ、文字盤の中心軸を中心として時計回り・反時計回りに回動する。文字盤の所定の位置には窓部（開口部）が設けられており、その窓部から板状表示部材に印刷された内容を見ることができる。通常モードでは、電池の残量を示しており、着色（たとえば赤色）された部分（通常モード、準備モード１における符号４１の下側部分）が反時計回りに回動することによって、電池の残量が減っていくことを操作者に直感的に知らしめる。図４では、電池残量が中程度であることが一目でわかる。【００６０】
そして、準備モード１では、板状の表示部材４１の表示内容は変更せず、準備モード２において、板状の表示部材４１をたとえば反時計回りに回動し、一旦、着色されていない部分を全面に表示する。その後、機能モードでは、最大潜水深度にあわせて、さらに反時計回りに回動すると、別の色（たとえば青色）で着色された部分（機能モードのおける板状の表示部材４１の上側部分）があらわれ、この着色された部分の占める割合によって、最大潜水深度を表示する。その他は、図３と同様なので説明は省略する。【００６１】
図５では、日板５１，５２を用いて最大潜水深度をデジタル表示している。日板において、符号５１は、１０桁を示し、符号５２は１桁を示している。これは、いわゆる「ビッグデイト」といわれるそれぞれの桁を独立に表示できる日板である。日板の場合、通常１０桁５１は、１〜３のみで足りるが、最大潜水深度を示すために０〜９までの数字を印刷するとよい。【００６２】
通常モードでは、「２」「３」を表示していることから、本日は「２３日」であることがわかる。準備モード１でも、通常モードと同様に「２」「３」を表示する。そして、準備モード２では、日板５１、５２をそれぞれ「０」「０」に変更し、最大潜水深度の計測モードが完了したことを示している。そして、機能モードでは、潜水深度に応じて、引いた５１，５２の各数字を変化させればよい。通常は、日板５２の数字を１ずつ増加させるようにすればよい（最大潜水深度なので、上昇したとしても、数字を減らすことはない）。図５にあっては、日板５１が「１」、日板５２が「５」を示していることから、最大深度は「１５Ｍ」であることが容易にわかる。その他は、図３，４と同様なので説明は省略する。【００６３】
図６では、表示体がすべてアナログ表示の場合を示している。図６において、日板６１，６２および機能表示板６３は、秒針６４と比較して、動きが遅く、負荷が重く、消費電力も大きい。したがって、これらは第１表示に相当する。また、秒針６４は、日板６１，６２および機能表示板６３と比較して動きが早く、消費電力も少ないので、第２表示体に相当する。このように、アナログ表示をおこなう表示体であっても第１表示体、第２の表示体のいずれにもなる場合がある。【００６４】
また図６では、現在時刻が認識できなくなるので、時刻表示は固定とする。また、秒針６４は、モードインジケータを兼用する。したがって、準備モード１、準備モード２、機能モードでは、６時の位置へ移動し、「ＤＩＶＥ」を指し示す。【００６５】
図６において、通常モードでは、日板６１，６２が、日付（２３日）を示し、板状の表示部材６３は、図４の板状の表示部材４１と同様に電池の残量を表示している。また、秒針６４は現在時刻の秒を表示している。そして、準備モード１に移行して、日板６１，６２、板状の表示部材６３はそのまま変更せず、秒針６４のみを６時の位置へ移動させ、「ＤＩＶＥ」を指し示させる。【００６６】
つぎに、準備モード２に移行して、日板６１，６２をそれぞれ「０」「０」に変更する。板状の表示部材６３は、図４の板状の表示部材４１と同様に、着色されていない部分を全面に表示する。そして、機能モードへ移行すると、日板６１，６２は潜水時間をデジタル表示する。すなわち、日板６１が１０の桁を示し、日板６２が１の桁を示す、図６にあっては、潜水時間は「２８分」であることが容易にわかる。その他は、図４、図５と同様なのでその説明は省略する。【００６７】
図７は、表示体がすべてデジタル表示の場合を示している。図７において、有機ＥＬディスプレイ７２は最大潜水深度、潜水時間表示などを表示する。有機ＥＬディスプレイ７２は輝度が高いことから、暗いところでも明確に視認できる利点はあるがＬＣＤ７１に比べて消費電力が大きい。したがって、有機ＥＬディスプレイ７２は第１表示に相当する。一方、ＬＣＤ７１は、その他表示をおこなうが、有機ＥＬディスプレイ７２よりも消費電力が小さい。したがって、ＬＣＤ７１は第２表示に相当する。このように、デジタル表示をおこなう表示体であっても第１表示体、第２の表示体のいずれにもなる場合がある。【００６８】
図７において、通常モードでは、ＬＣＤ７１には、図３と同様に、現在時刻（「１２：３４」）および曜日（「ＳＵＮ」）を表示する。一方、有機ＥＬディスプレイ７２には、消灯状態とし、何も表示しない。そして、準備モード１に移行して、有機ＥＬディスプレイ７２は、引き続き消灯状態と、何も表示しない。ＬＣＤ７１は、曜日「ＳＵＮ」の代わりに、潜水モード準備中を示す「ＲＥＡＤＹ」を表示する。【００６９】
つぎに、準備モード２に移行して、有機ＥＬディスプレイ７２を点灯させ、潜水時間（「０：００」）および現在の水深（「０Ｍ」）を表示する。ＬＣＤ７１は、「ＲＥＡＤＹ」を消去し、準備が完了したことを知らせる。【００７０】
その後、機能モードでは、有機ＥＬディスプレイ７２は点灯した状態で、潜水時間（「０：３６（３６分）」および現在の水深（「４８Ｍ」）を表示する。その後、通常モードへの移行は、図３と同様なので、その説明は省略する。【００７１】
（高度計の表示モード）
つぎに、高度計の場合の表示モードについて説明する。図８は、高度計の場合の表示モードの流れを示す説明図である。第１表示体および第２表示体の構成は図３に示したものと同じである。図８において、通常モードでは、時刻表示モードであり、時刻情報、カレンダ情報、電池の残量情報を表示している。符号８１は、第２表示体としてのＬＣＤである。ＬＣＤ８１には、現在時刻を「１１：０５」とデジタル表示しているとともに、日曜日であることを示す「ＳＵＮ」を表示している。【００７２】
符号８２は分針であり、符号８３は時針であり、符号８４は機能針である。分針８２および時針８３によって、１１時５分であることをアナログ表示しているとともに、機能針８４が電池の残量を示している。機能針８４によると、電池の残量はＥｍｐｔｙと中程度の中間あたりを示している。これらの指針８２〜８４が第１表示体に該当する。【００７３】
つぎに、操作者によって、高度計モードスイッチ（モードＳＷ）が押下された場合は、通常モードから準備モード１へ移行する。準備モード１では、分針８２、時針８３、機能針８４は通常モードとなんら変化なく、引き続き現在時刻と電池残量をアナログ表示している。これに対して、ＬＣＤ８１は、現在時刻および曜日の表示を消去し、代わりに、測定の準備を開始した旨を示す「ＣＡＬＩＢ（ＣＡＬＩＢはＣＡＬＩＢＲＡＴＩＯＮ（補正）の略）」の文字を表示する。【００７４】
高度補正とは、たとえば標識など高度表示など正確な高度がわかっている場合にその値を入力し、計測した高度値との差により計測補正に必要なデータを得る機能である。そして、高度補正処理がなされ、高度補正処理が完了すると、準備モード１から準備モード２へ移行する。準備モード２では、ＬＣＤ８１は、「ＣＡＬＩＢ」の文字の表示から、現在時刻「１１：０５」と、高度上昇を意味する上側矢印「↑」を表示する。また、分針８２および時針８３は、１２時の位置に移動し、機能針８４は、高度をアナログ表示するために、「０ｍ」の位置に反時計回りに移動する。【００７５】
つぎに、操作者によってスタートＳＷが押下された場合あるいは所定高度（高度値は任意で操作者が設定可能）を検出した場合は、準備モード２から機能モードへ移行する。機能モードでは、ＬＣＤ８１は、現在の高度をデジタル表示する（「９２４Ｍ」）とともに、現在の大気圧（「１０１３ｈＰａ」）、現在時刻（「１２：１５」）をデジタル表示する。分針８１および時針８２は、高度計が作動してからの経過時間を表示する。図８にあっては、分針８１が２時の位置を指しており、時針８２が１時の位置を指しているので、経過時間は１時間１０分であることが直感的に理解できる。さらに、機能針８４も現時点における高度をアナログ表示しており、５０００Ｍのスケールから、１０００Ｍ付近であることが直感的に理解できる。【００７６】
その後は、図３に示した水深計と同様に、操作者によってストップＳＷが押下されるか、所定の高度を検出すると、機能モードから通常モードへ移行し、再び、現在時刻、曜日、電池の残量を表示する。【００７７】
（方位計の表示モード）
つぎに、方位計の場合の表示モードについて説明する。図９および図１０は、方位計の場合の表示モードの流れを示す説明図である。第１表示体および第２表示体の構成は図３、図８に示したものと同じである。図９において、通常モードでは、時刻表示モードであり、時刻情報、カレンダ情報、電池の残量情報を表示している。符号９１は、第２表示体としてのＬＣＤである。ＬＣＤ９１には、現在時刻を「１１：０５」とデジタル表示しているとともに、日曜日であることを示す「ＳＵＮ」を表示している。【００７８】
符号９２は分針であり、符号９３は時針であり、符号９４は機能針である。分針９２および時針９３によって、１１時５分であることをアナログ表示しているとともに、機能針９４が電池の残量を示している。機能針９４によると、電池の残量はＥｍｐｔｙと中程度の中間あたりを示している。これらの指針９２〜９４が第１表示体に該当する。【００７９】
つぎに、操作者によって、方位計モードスイッチ（モードＳＷ）が押下された場合は、通常モードから準備モード１へ移行する。準備モード１では、分針９２、時針９３、機能針９４は通常モードとなんら変化なく、引き続き現在時刻と電池残量をアナログ表示している。これに対して、ＬＣＤ９１は、現在時刻および曜日の表示を消去し、代わりに、測定の準備を開始した旨を示すために、方位を示す矢印を１２時の方向に向けて表示する。【００８０】
そして、水平検知処理がなされ、水平検知処理が完了すると、準備モード１から準備モード２へ移行する。準備モード２では、分針９２は６時の位置に移動し、時針９３は１２時の位置に移動する。これによって、分針９２と時針９３とで１本の指針を形成する。また、機能針９４は、常に９時の方向を指すように、指針を回動して停止しておく。また、ＬＣＤ９１の表示は変更せずそのままである。【００８１】
つぎに、操作者によって計測開始ＳＷが押下された場合あるいは水平検知してから所定時間が経過した場合は、準備モード２から機能モードへ移行する。機能モードでは、ＬＣＤ９１は、現在の磁北の方向を表示することによっておこなう。図９では、１時の方向を指しているので、１時の方向が磁北であることが容易にわかる。分針９２および時針９３も同様に磁北の方向を示している。分針９２および時針９３は、１本の指針を形成しているので、両者は同一方向に同一量だけ移動する。すなわち、分針９２が６時の位置から７時の位置へ回動し、それに連動して時針９３が１２時の位置から１時の位置へ回動する。それによって、ＬＣＤ９１の表示と同様に、１時の方向が磁北であることを示すことができる。【００８２】
その後は、図３に示した水深計または図８に示した高度計と同様に、操作者によって計測停止ＳＷが押下されるか、水平検知が解除されると、機能モードから通常モードへ移行し、再び、現在時刻、曜日、電池の残量を表示する。【００８３】
図９では、準備モードが２つ存在したが、図１０では、準備モードは一つのみ存在する。図１０において、通常モードおよび準備モード１は図９の通常モードおよび準備モード１と同じである。つぎに、水平検知処理がなされ、水平検知処理が完了し、所定時間が経過すると、準備モード１から、準備モード２へ移行する代わりに、機能モードへ移行する。すなわち、ＬＣＤ９１は、現在の磁北の方向を表示することによっておこない、分針９２および時針９３も同様に磁北の方向を示している。【００８４】
その後は、図９と同様に、操作者によって計測停止ＳＷが押下されるか、水平検知が解除されると、機能モードから通常モードへ移行し、再び、現在時刻、曜日、電池の残量を表示する。このように、方位計の場合は、準備モード２を省略し、準備モード１から直接機能モードへ移行するようにしてもよい。【００８５】
（実施の形態）
以下に添付図面を参照して、この発明にかかる電子機器および表示制御方法の好適な実施の形態を詳細に説明する。なお、以下の実施例は、前述の図３の実施例をさらに具体的に示したものである。【００８６】
（電子機器の外観）
図１１は、本実施の形態にかかる電子機器の外観を示す説明図である。図１１において、電子機器は、本体１００と、本体１００をたとえば腕に装着するためのバンド１０１とから構成される、腕時計型の電子機器である。また、本体１００の外周には、複数の操作ボタン１０２（１０２ａ、１０２ｂ、１０２ｃ、１０２ｄ）を備えている。本体１００の表示部分には、複数の指針（秒針１０３、分針１０４、時針１０５、機能針１０６）と、電気光学的に情報を表示するデジタル表示部１０７とを備える。また１０８は、後述する水感知センサおよび圧力センサである。【００８７】
本体１００の表示には、少なくとも３つのモード（時刻表示モード、準備状態、潜水モード）が存在する。時刻表示モードでは、秒針１０３は秒周期で回転、すなわち６０秒で１回転（１周）する。分針１０４は、分周期で回転、すなわち６０分で１回転（１周）する。時針１０５は、時周期で回転、すなわち１２時間で１回転（１周）する。これらの指針（秒針１０３、分針１０４、時針１０５）によって時刻を表示する。【００８８】
一方、潜水が開始された場合、すなわち時刻表示モードから潜水モードへと切り替わった場合、秒針１０３はそのまま秒周期で回転する。これによって、秒針１０３の動きを見ることで、電子機器の本体１００が正常に動いているか否かを容易に判断することができる。特に、潜水活動中に電子機器の本体１００に衝撃を与えてしまった後、電子機器１００が故障しているか否かを秒針１０３の動作によって確認することができる。【００８９】
また、分針１０４は、現在時刻を表していた位置から１２時の位置へ高速で移動し、その後、分周期で回転を開始する。したがって、潜水中は、分針１０４の指し示す位置を確認すれば、直感的に潜水時間を認識することができる。また、時針１０５は、現在時刻を表していた位置から６時の位置へ高速で移動し、静止する。６時の位置には『ＤＩＶＥ』と表示されており、時針１０５がここを指し示すことによって（後述する図２２を参照）、現在潜水モードであることが一見して理解できる。【００９０】
このように、指針は、秒針１０３と、秒針１０３以外の指針（分針１０４、時針１０５）とを含み、秒針１０３および秒針１０３以外の指針（分針１０４、時針１０５）によって時刻を表示する時刻表示モードと、秒針１０３を秒周期で駆動するとともに、秒針１０３以外の指針（分針１０４、時針１０５）によって、時刻以外の情報（たとえば、潜水時間、潜水モードであることなど）を表示する他のモードと、を切り替えることができる。【００９１】
また、機能針１０６は、時刻以外の情報を表示する。具体的には、機能針１０６は、時刻表示モードでは電池電圧に関する情報を表示している。これによって、使用者は電池の残量に関する情報を認識することができる。電池電圧に関する情報は、機能針１０６が反時計回りに回動し、略７時〜８時の位置（「ＦＵＬＬ  ＢＡＴＴＥＲＹ」）を指し示している場合は、電池電圧が高いことを示し、反対に、機能針１０６が時計回りに回動し、略１０時〜１１時の位置を指し示している場合は、電池電圧が低いこと（あるいは０）を示す。したがって、図１１にあっては、略９時の位置を指し示しているので、中程度の電池電圧であることがわかる。【００９２】
さらに機能針１０６は、潜水モードの時に時刻以外の情報として、その潜水活動中に到達した最大潜水深度を表示するようにしている。この場合、機能針１０６が反時計回りに回動し、略７時〜８時の位置（約７０ｍ）を指し示している場合は、深い位置まで潜水したことを示し、反対に、機能針１０６が略１０時〜１１時の位置を指し示している場合は、その潜水活動中に到達した最大潜水深度がまだ浅いこと（約１０ｍ）を示す。したがって、図１１にあっては、略９時の位置を指し示しているので、その潜水活動での最大潜水深度が約４５ｍ程度であることがわかる。【００９３】
このように、指針（具体的には、たとえば機能針１０６）によって、複数の物理量の測定値（具体的には、たとえば電池電圧と最大潜水深度）を切り替えて表示することができる。ここで、指針（具体的には、たとえば機能針１０６）は、時計回りまたは反時計回りに回動することによって複数の物理量の測定値を表示するとともに、複数の物理量の測定値の大小を同一の回動方向とすることができる。つまり、機能針１０６を反時計方向に回動させると、最大潜水深度の場合は深い方向となり、電池電圧の場合は電圧が高い方向となるように関係付けることができる。逆に機能針１０６を時計方向に回動させると、最大潜水深度の場合は浅い方向となり、電池電圧の場合は電圧が低い方向となるように関係付けることができる。【００９４】
また、デジタル表示部１０７は、時計としての機能を実現する文字板を１２時の位置から６時の位置を結ぶ２線で２分割した領域のうちの３時を含む領域側に設けるのがよい。なぜなら、通常左腕に装着することを想定すると、右側、すなわち文字板を１２時の位置から６時の位置を結ぶ２線で２分割した領域のうちの３時を含む領域側に設けることによって、袖などでデジタル表示部１０７が隠されてしまうことがないからである。【００９５】
また、分針１０４が１２時の位置から分周期で回動することで、潜水時間を示しているので、デジタル表示部１０７を右側になるようにして、左側に設けるよりも先に分針１０４によって隠された方がよい。なぜなら、潜水開始直後は何十分も経過していないことが感覚的にわかり、潜水時間が経過するにつれて時間を正確に把握することができなくなるため、通常潜水する場合は、潜水開始から最初の３０分よりも、３０分経過後の方が、頻繁に潜水時間をチェックするのが一般的だからである。したがって、３０分経過後に、デジタル表示部１０７が分針１０４によって隠されるよりも、潜水を開始してから３０分以内の比較的早い時期に隠される方が、より利便性がよい。【００９６】
特に、デジタル表示部１０７は、３時の位置を含む領域、すなわち、たとえば図１１に示した位置にデジタル表示部１０７を設けるとよい。なぜなら、デジタル表示部１０７の表示内容は図１１に示すように横書きが一般的なので、デジタル表示部１０７が下側または上側にあれば、分針１０４は、デジタル表示部１０７を縦方向に遮ることになる。したがって、デジタル表示部１０７の横方向に表示内容を複数段設けた場合に、そのすべてが同時に遮られることになることもあり、後述する表示の入れ替えをしたとしても、分針１０４によって隠される部分をなくすることができないためである。【００９７】
図１１において、デジタル表示部１０７は、現在時刻を表している地域に関する情報（ＮＹＣ（＝ニューヨーク））、日付に関する情報（１０／２８（１０月２８日））、曜日に関する情報（ＳＵＮ（＝日曜日））を示している。デジタル表示部１０７に表示する情報は、文字や記号のほか、画像（アニメーションを含む）などであってもよい。このように、情報をデジタル表示部１０７の表示領域の上下方向に少なくとも２段に表示するとよい。デジタル表示部１０７は、具体的には、たとえば液晶パネルや有機ＥＬ（Ｅｌｅｃｔｒｏｌｕｍｉｎｅｓｃｅｎｃｅ）パネルなどによって構成される。【００９８】
（電子機器の構成）
図１２は、本実施の形態にかかる電子機器の構成を示す説明図である。図１２において、本体１００には、マイコンＩＣ２００と、ＲＡＭ２０１と、ＲＯＭ２０２と、モータ駆動回路２０３と、モータ２０４（２０４ａ、２０４ｂ、２０４ｃ、２０４ｄ）と、輪列２０５（２０５ａ、２０５ｂ、２０５ｃ、２０５ｄ）と、液晶駆動回路２０６と、ソーラセル２０７と、二次電池２０８と、充電制御回路２０９と、スイッチ部２１０と、スイッチ部制御回路２１１と、圧力センサ２１２と、ＡＤ変換回路２１３と、水感知センサ２１４と、水感知センサ部制御回路２１５と、アラーム（ブザー）２１６と、アラーム駆動回路２１７と、ＬＥＤ２１８と、ＬＥＤ駆動回路２１９と、基準信号発生部２２０と、カウンタ部２２１を備える。【００９９】
マイコンＩＣ２００は、後述する計時データ記憶部の駆動状態を制御するほか、各種の構成部を個別に演算制御する。また、マイコンＩＣ２００は、電子機器の本体１００の全体を制御する。また、ＲＡＭ２０１は、各種データを記憶している。たとえば計時データ記憶部と、時刻アラーム設定記憶部と、潜水時間設定記憶部と、警告水深設定記憶部と、潜水／浮上速度情報記憶部と、異常速度計数部、潜水ログデータ記憶部などを含んでいる。また、ＲＯＭ２０２は、各種の制御プログラムを記憶している。【０１００】
ここで、ＲＡＭ２０１に含まれる計時データ記憶部は、マイコンＩＣ２００から出力される時刻情報あるいはカレンダ情報を記憶する。また、計時データ記憶部は、現在時刻の計時のほかに、所定の時点からの経過時間の計時（たとえば潜水時間や動作禁止時間の計時など）データを記憶する。【０１０１】
時刻アラーム設定記憶部は、設定された時刻アラームに関する情報を記憶する。時刻アラームに関する情報は、たとえば、アラーム音を出力する日時、アラーム音の種類・音量、アラーム音の長さ、繰り返しの有無などを含む。【０１０２】
潜水時間設定記憶部は、設定された潜水時間に関する情報を記憶する。潜水時間に関する情報とは、潜水時間すなわちその潜水時間を経過した場合は警告アラーム音を出力する時間、アラーム音の種類・音量、アラーム音の長さ、繰り返しの有無などを含む。複数の潜水時間を設定しておいて、潜水条件（ボンベなど機材の種類、体調など）に応じて切り替えて設定するようにしてもよい。【０１０３】
警告水深設定記憶部は、設定された警告水深に関する情報を記憶する。警告水深に関する情報とは、警告アラーム音を出力する水深、アラーム音の種類・音量、アラーム音の長さ、繰り返しの有無などを含む。複数の水深ごとに、異なるアラーム音の種類・音量を設定するようにしてもよい。【０１０４】
潜水／浮上速度情報記憶部は、設定された潜水あるいは浮上速度に関する情報を記憶する。この潜水あるいは浮上速度に関する情報は、超えてはならない潜水あるいは浮上速度（異常速度）に関する情報、その異常速度を超えた場合における警告アラーム音を出力する測定回数、アラーム音の種類・音量、アラーム音の長さ、繰り返しの有無などを含む。【０１０５】
異常速度計数部は、連続して測定された異常速度を計数する。そして、計数された回数をマイコンＩＣ２００へ出力する。マイコンＩＣ２００は、潜水／浮上速度情報記憶部に記憶された測定回数と異常速度計数部によって出力された回数とに基づいて警告アラームを出力する。【０１０６】
潜水ログデータ記憶部は、過去の潜水情報を複数（たとえば２０回分）を記憶する。２０回分以上になると、古い潜水情報から順に消去し、新しい潜水情報を記憶する。潜水情報は、潜水日時、潜水時間、最大潜水深度、平均水温などである。【０１０７】
モータ駆動回路２０３は、独立した４つのモータ２０４（２０４ａ、２０４ｂ、２０４ｃ、２０４ｄ）を駆動し、輪列２０５（２０５ａ、２０５ｂ、２０５ｃ、２０５ｄ）を介して、それぞれの指針を別個独立に駆動する。【０１０８】
液晶駆動回路２０６は、デジタル表示部１０７を駆動して各種情報を表示させる。また、充電制御回路２０９は、ソーラセル２０７によって受光された光を電力に変換し、二次電池２０８に蓄積する。【０１０９】
スイッチ部２１０は、操作者の操作指示を入力する。具体的には、操作ボタン１０２や竜頭などである。スイッチ部制御回路２１１は、スイッチ部２１０からの信号に基づいて操作者からの操作指示に関する入力をマイコンＩＣ２００に送信する。【０１１０】
圧力センサ２１２は、たとえば半導体圧力センサなどからなり、電子機器の本体１００の周囲の水圧あるいは気圧を測定する。また、ＡＤ変換回路２１３は、圧力センサ２１２によって測定されたアナログ値をデジタル値に変換し、マイコンＩＣ２００へ送信する。【０１１１】
水感知センサ２１４は、電子機器の本体１００が水に接触しているか否かを検知する。また、水感知センサ部制御回路２１５は、水感知センサ２１４を制御して、水に接触したことをマイコンＩＣ２００へ伝達する。このように、水感知センサ２１４によって、自動的にモードの切り替えがおこなわれるので、操作者は、潜水を開始する場合や潜水を終了する場合に、それぞれ、手動にて切り替え処理をおこなう必要はない。【０１１２】
アラーム駆動回路２１７は、アラーム（ブザー）２１６が搭載する図示を省略するスピーカを駆動して、アラーム（ブザー）音を出力する。その際、アラーム駆動回路２１７は、告知の種類によって、音の種類、高さ、音量などを変えて出力する。複数人で潜水する場合、水中では、アラーム２１６の音のみでは、誰のアラームが鳴っているのかが判別しにくい。そこで、アラームを鳴らす場合には、アラーム２１６とともにＬＥＤ２１８を点灯されることが望ましい。【０１１３】
ＬＥＤ駆動回路２１９は、ＬＥＤ２１８を駆動してバックライトとしてデジタル表示部１０７を照明したり、警告光を出力したりする。ＬＥＤ２１８の代わりに、ＥＬ（Ｅｌｅｃｔｒｏｌｕｍｉｎｅｓｃｅｎｃｅ）、ランプなどを用いてもよい。【０１１４】
基準信号発生部２２０は、たとえば発振回路から構成され、計時処理の基準となる所定の周波数を有する信号を発生する。また、カウンタ部２２１は、基準信号発生部２２０から発生される所定の周波数を有する信号をマイコンＩＣ２００に対して出力する。【０１１５】
このような構成において、マイコンＩＣ２００は、液晶駆動回路２０６を制御して、指針（具体的には、たとえば分針１０４）が回転または回動する位置に応じて、デジタル表示部１０７に表示されている情報の表示形態を変更して表示する。表示形態の変更としては、たとえば、デジタル表示部１０７の表示領域内における情報の表示位置を変更して表示するようにしてもよい。【０１１６】
より具体的には、指針（具体的には、たとえば分針１０４）が情報の少なくとも一部を遮らないように、または、表示位置を変更しなかった場合と比較して、指針（具体的には、たとえば分針１０４）が情報の少なくとも一部を遮る時間が短くなるように、デジタル表示部１０７の表示領域内における情報の表示位置を変更して表示するとよい。【０１１７】
また、マイコンＩＣ２００は、デジタル表示部１０７の所定の表示領域にそれぞれ表示された複数の情報を表示するとともに、複数の情報にそれぞれ設定された優先順位に基づいて、デジタル表示部１０７の表示領域内における、複数の情報のうちの少なくとも一つの情報の表示位置を変更して表示する。優先順位は、表示の重要度に基づいて定めることができる。【０１１８】
また、マイコンＩＣ２００は、デジタル表示部１０７の所定の表示領域にそれぞれ表示された複数の情報を表示するとともに、表示された複数の情報にそれぞれ設定された優先順位に基づいて、デジタル表示部１０７の表示領域内における、複数の情報のうちの少なくとも２つの情報の各表示位置を入れ替えて表示するようにしてもよい。【０１１９】
その際、マイコンＩＣ２００は、指針（具体的には、たとえば分針１０４）が回転または回動する位置に応じて、デジタル表示部１０７の表示領域内における別の情報の表示位置を変更して表示する。また、指針（具体的には、たとえば分針１０４）が回転または回動する位置に応じて、指針（具体的には、たとえば分針１０４）が別の情報の少なくとも一部を遮らないように、または、表示位置を変更しなかった場合と比較して、指針（具体的には、たとえば分針１０４）が別の情報の少なくとも一部を遮る時間が短くなるように、デジタル表示部１０７の表示領域内における別の情報の表示位置を変更して表示するようにしてもよい。【０１２０】
また、マイコンＩＣ２００は、デジタル表示部１０７の所定の表示領域にそれぞれ表示された複数の別の情報を表示するとともに、表示された別の複数の情報にそれぞれ設定された優先順位に基づいて、デジタル表示部１０７の表示領域内における、複数の別の情報のうちの少なくとも一つの情報の表示位置を変更して表示する。【０１２１】
情報または別の情報のうち、計時手段（具体的には、たとえば基準信号発生部２２０およびカウンタ部２２１）によって取得される情報よりも、計測手段（具体的には、たとえば圧力センサ２１２、水感知センサ２１４など）によって取得される情報の優先順位を高くする。また、マイコンＩＣ２００は、計測手段によって取得される情報を所定のタイミングで更新する。【０１２２】
複数の指針のうち、情報の少なくとも一部を遮る時間が所定時間以上となる指針が回転または回動する位置に応じて、指針が情報の少なくとも一部を遮らないように、または、表示位置を変更しなかった場合と比較して、指針が情報の少なくとも一部を遮る時間が短くなるように、デジタル表示部１０７の表示領域内における情報の表示位置を変更して表示する。【０１２３】
また、複数の指針のうち、情報の少なくとも一部を遮る時間が所定時間以上となる指針が回転または回動する位置に応じて、デジタル表示部１０７に表示されている情報を、別の情報に切り替えて表示するようにしてもよい。ここで、情報の少なくとも一部を遮る時間が所定時間以上となる指針は、時刻の分よりも回転または回動周期の長い指針である。【０１２４】
また、マイコンＩＣ２００は、アラーム駆動回路２１７およびＬＥＤ駆動回路２１９を制御して、駆動パルスによって動作する複数の警報手段（具体的には、たとえば、報音装置（たとえばアラーム２１６）、発光装置（たとえばＬＥＤ２１８）と、駆動パルスを警報手段ごとに互いに重ならないタイミングで出力させる。【０１２５】
ＲＯＭ２０２に記憶されている各種の制御プログラムを利用して、マイコンＩＣ２００が各種の制御情報を記憶しているＲＡＭ２０１のデータを使用して所定の演算処理をおこない、電子機器の本体１００の各種の構成部を駆動制御するように構成されている例を示したが、本発明はこのような具体例の構成に限定されるものではなく、マイコンＩＣ２００を使わないランダムロジックの構成にて同一の機能を実現することができる。【０１２６】
（準備状態と潜水モードにおける電子機器の機能的構成）
つぎに、本実施の形態にかかる電子機器の機能的構成について説明する。図１３は、本実施の形態にかかる電子機器の機能的構成を示す説明図である。図１３において、電子機器の本体１００は、指針（秒針１０３、分針１０４、時針１０５、機能針１０６）と、デジタル表示部１０７のほか、水検出部３０１と、第１水深検出部３０２と、第２水深検出部３０３と、表示制御部３０４と、駆動制御部３０５と、第３水深検出部３０６と、計測部３０７と、リセット部３０８と、を含む構成となっている。【０１２７】
水検出部３０１は水を検出する、すなわち、電子機器の本体１００の所定箇所（具体的には、図１２に示した水感知センサ２１４の一部）が水に濡れたことを検出する。したがって水検出部３０１は、具体的には、たとえば図１２に示した水感知センサ２１４および水感知センサ部制御回路２１５によってその機能を実現する。【０１２８】
また、第１水深検出部３０２は、所定の水深（以下「第１の水深」という。具体的には、たとえば水深０．５ｍ（５０ｃｍ）である。）に達したことを検出する。また、第２水深検出部３０３は、上記第１の水深よりも深い水深（以下「第２の水深」という。具体的には、たとえば水深１ｍ（１００ｃｍ）である。）に達したことを検出する。第１水深検出部３０２、第２水深検出部３０３は、具体的には、たとえば圧力センサ２１２およびＡＤ変換回路２１３によってその機能を実現する。【０１２９】
表示制御部３０４は、水検出部３０１によって検出された結果、第１水深検出部３０２によって検出された結果および第２水深検出部３０３によって検出された結果に基づいて、デジタル表示部１０７に表示されている表示内容をそれぞれ変更する。【０１３０】
すなわち、表示制御部３０４は、水検出部３０１によって検出された結果に基づいて（具体的には、たとえば水検出部３０１が水に濡れた場合に）、デジタル表示部１０７に表示されている表示内容を変更する。また、第１水深検出部３０２によって検出された結果に基づいて（具体的には、たとえば電子機器の本体１００が水深０．５ｍ（５０ｃｍ）に達した場合に）、デジタル表示部１０７に表示されている表示内容を変更する。【０１３１】
さらに、第２水深検出部３０３によって検出された結果に基づいて（具体的には、たとえば電子機器の本体１００が水深１ｍ（１００ｃｍ）に達した場合に）、デジタル表示部１０７に表示されている表示内容を変更する。表示制御部３０４は、具体的には、たとえばマイコンＩＣ２００および液晶駆動回路２０６によってその機能を実現する。【０１３２】
駆動制御部３０５は、現在時刻または所定の物理量を表示するように指針（秒針１０３、分針１０４、時針１０５、機能針１０６）の回転または回動を制御するとともに、準備状態で第１水深検出部３０２によって検出された結果に基づいて、上記指針を所定の位置へ回動させる。上記所定の物理量とは、たとえば潜水時間や最大潜水深度などであり、指針によってその値を表示する。上記所定の位置とは、具体的には、分針１０４を、１２時の位置へ、時針を６時の位置へ、機能針１０６を図１１に示した最大潜水深度「０」の位置である。【０１３３】
そして、駆動制御部３０５は、第２水深検出部３０３によって検出された結果に基づいて、指針のうちのいずれか一つの指針（具体的には、たとえば分針１０４）を所定位置、すなわち１２時の位置から分同期で回動させる。また、駆動制御部３０５は、第２水深検出部３０３によって検出された結果に基づいて、指針のうちのいずれか一つの指針（具体的には、たとえば機能針１０６）を、最大潜水深度を示すように回動させる。駆動制御部３０５は、具体的には、たとえばマイコンＩＣ２００およびモータ駆動回路２０３によってその機能を実現する。【０１３４】
第３水深検出部３０６は、第２の水深に達した後に、第３の水深に達したことを検出する。つまり第３水深検出部３０６は、所望の潜水活動が終了し、再び水面に浮上してきたことを検出するための検出部である。第３の水深は、第２の水深と略同一深度であってもよいし、第１の水深と同じでもよい。計測部３０７は、第３水深検出部３０６によって検出された結果に基づいて（具体的には、たとえば電子機器の本体１００が水深１００ｃｍに達した場合に）、時間計測を開始する。第３水深検出部３０６は、具体的には、たとえば圧力センサ２１２およびＡＤ変換回路２１３によってその機能を実現する。【０１３５】
その際、表示制御部３０４は、計測部３０７によって計測された所定時間（たとえば１０分）が経過した場合には潜水活動が終了したものと判断し、水検出部３０１によって検出された結果に基づく変更する前の表示内容に変更する。また、駆動制御部３０５は、計測部３０７によって計測された所定時間が経過した後は、現在時刻を表示するように指針の回転または回動を制御する。これによって、潜水モードが終了し、通常の時刻表示モードに移行する。【０１３６】
リセット部３０８は、一つまたは複数のスイッチ（操作ボタン１０２）が押下された場合、具体的には、操作ボタン１０２（１０２ａ〜１０２ｄ）のうちの一つまたは２つ以上が同時に押下された場合に、水検出部３０１による水の検出をおこない、検知された結果に基づいて（具体的には、たとえば水検出部３０１が水に濡れてなかった場合に）、電子機器のシステム全体をリセット（初期化）する。したがって、水検出部３０１が水に濡れていた場合には、潜水モードのリセットはおこなわない。【０１３７】
（時刻表示モードから潜水モードへの移行）
図１４は、検出される水深とモード変更との関係を示す説明図である。図１４において、曲線４００は、潜水の状態を示しており、縦方向は水深を示し、横方向は潜水時間を示している。使用者が潜水する場合、通常の時刻表示モードにおいて、Ａ地点、すなわち「０ｍ」地点において入水すると、水検出部３０１が潜水活動の準備状態を検出する。そして、潜水モードの「準備状態１」になる。その後、潜水を開始して、Ｂ地点すなわち「０．５ｍ（５０ｃｍ）」の水深を検出すると、潜水モードの「準備状態２」になる。さらに、潜水をおこない、Ｃ地点すなわち「１ｍ（１００ｃｍ）」の水深を検出すると、「潜水モード」になる。【０１３８】
その後は、「潜水モード」にて潜水状態を継続する。そして、潜水活動が終了して浮上することにより、Ｄ地点、すなわち再び「１ｍ（１００ｃｍ）」の水深を検出すると、計測部３０７が計測をスタートし、計測をスタートしてから１０分が経過した時点で、再び通常の時刻表示モードになる。このように、使用者が潜水する状況に応じて適切なモードへ自動的に切り替えることができる。【０１３９】
（電子機器の動作）
図１５および図１６は、本実施の形態にかかる電子機器の動作の内容を示すフローチャートである。図１５のフローチャートにおいて、まず、電子機器の本体１００は通常の時刻表示モード（ステップＳ５０１）にあるとき、水を検知したか否かを判断する（ステップＳ５０２）、ここで、水を検知するのを待って、水を検知しなかったら（ステップＳ５０２：Ｎｏ）、通常の時刻表示モードを継続する。水を検知した場合（ステップＳ５０２：Ｙｅｓ）は、表示内容を通常の時刻表示モードから「準備状態１」へ変更する（ステップＳ５０３）。この際、指針は時刻表示モードを維持する（ステップＳ５０４）。通常の時刻表示モードおよび準備状態１の表示内容については後述する（図１７〜図２０を参照）。【０１４０】
つぎに、表示内容として「準備状態１」を表示したまま、第１の水深（５０ｃｍ）に到達したか否かを判断する（ステップＳ５０５）。ここで、第１の水深に到達していない場合（ステップＳ５０５：Ｎｏ）は、ステップＳ５０２へ戻る。そして到達するのを待って、到達した場合（ステップＳ５０５：Ｙｅｓ）は、表示内容を「準備状態１」から「準備状態２」へ変更する（ステップＳ５０６）とともに、指針を所定位置へ回動する（ステップＳ５０７）。準備状態２の表示内容については後述する（図２１、図２２を参照）。【０１４１】
つぎに、表示内容として「準備状態２」を表示したまま、第２の水深（１００ｃｍ）に到達したか否かを判断する（ステップＳ５０８）。ここで、第２の水深に到達していない場合（ステップＳ５０８：Ｎｏ）は、ステップＳ５０５へ戻る。そして到達するのを待って、到達した場合（ステップＳ５０８：Ｙｅｓ）は、表示内容を「準備状態２」から「潜水モード」へ変更する（ステップＳ５０９）とともに、指針の回動（分同期と最大潜水深度表示）を開始する（ステップＳ５１０）。これによって、潜水モードへの自動切り替えを完了する。潜水モードの表示内容については後述する（図２２を参照）。【０１４２】
その後、潜水活動が終了して水面近くまで浮上すると、第３の水深（１００ｃｍ）に到達したか否かを判断する（ステップＳ５１１）。ここで、第３の水深に到達するのを待って、到達した場合（ステップＳ５１１：Ｙｅｓ）は、計測部３０７が計測を開始する（ステップＳ５１２）。そして、計測を開始してから所定時間（たとえば１０分）が経過したか否かを判断する（ステップＳ５１３）。ここで、第３の水深未満の状態で所定時間が経過していない場合（ステップＳ５１３：Ｎｏ）は、ステップＳ５１１へ戻る。一方、ステップＳ５１３において、第３の水深未満の状態で所定時間が経過した場合（ステップＳ５１３：Ｙｅｓ）は、表示内容を通常の時刻表示モードへ変更し（ステップＳ５１４）、一連の処理を終了する。【０１４３】
また、図１６のフローチャートにおいて、所定のスイッチあるいは所定のスイッチが複数同時に押下されたか否かを判断する（ステップＳ６０１）。ここで、スイッチが押下されるのを待って、押下された場合（ステップＳ６０１：Ｙｅｓ）は、つぎに、水感知センサ２１４がＯＮになっているか否かを判断する（ステップＳ６０２）。【０１４４】
ここで、水感知センサがＯＮになっている場合（ステップＳ６０２：Ｙｅｓ）は、オールリセット（すなわち、潜水時間、最大潜水深度、現在深度などを初期化する）はできない旨の警告を表示し（ステップＳ６０４）、オールリセットをおこなうことなく、ステップＳ６０１へ戻る。一方、ステップＳ６０２において、水感知センサ２１４がＯＮになっていない場合（ステップＳ６０２：Ｎｏ）は、オールリセットを実行し（ステップＳ６０３）、一連の処理を終了する。なお、オールリセットができない場合には、必ずしもステップＳ６０４の警告表示はおこなわずに、そのままの状態を継続してもよい。【０１４５】
（実施例）
つぎに、実施例について説明する。図１７〜図２２は、この発明の実施例にかかる電子機器の表示制御の内容を示す説明図である。図１７〜図２２は、それぞれ、電子機器の本体１００の表示の内容を示している。図１７は、通常の時刻表示モードの表示内容であり、図１７において、秒針１０３と、分針１０４と時針１０５との位置から１０時９分３５秒であることがわかる。また、機能針１０６の位置から、電池電圧は中程度より若干高いことがわかる。デジタル表示部１０７の上段領域７０１には、指針が示している時刻の地域に関する情報『ＴＹＯ』（＝東京）が表示されている。【０１４６】
また、デジタル表示部１０７の中段領域７０２には、日付情報『１２／２５』（＝１２月２５日）が表示されている。ここで、月情報『１２』よりも日情報の『２５』の方が大きいサイズで表示している。これによって、より日情報の方が認識しやすくなっている。また、デジタル表示部１０７の下段領域７０３には、曜日情報『ＳＵＮ』（＝日曜日）が表示されている。【０１４７】
図１８も、図１７と同様に通常の時刻表示モードの表示内容であり、図１７と図１８の違いは表示している時間の違いと、機能針１０６による電池電圧の違いのみである。以後、図１７と図１８が通常の時刻表示モード、図１９と図２０が準備状態１モード、図２１が準備モード２、図２２が潜水モードである。また、図１７と図１９が、図１８と図２０がそれぞれ対応している。【０１４８】
水検知部３０１が水を検知すると、指針は通常の時刻を表示した状態のままで、デジタル表示部１０７の表示内容が図１９（または図２０）に示した内容に変更される。図１９および図２０において、デジタル表示部１０７には、『ＲＥＡＤＹ』（＝準備中）の文字と、ダイバーが潜水していることをイメージするアニメーションが表示される。この状態では、潜水するのか、単に手や顔を洗ったりして電子機器の本体１００が水に濡れただけであるのか判断できないため、デジタル表示部１０７の表示画面のみを変更し、指針は現在時刻を示した状態を継続する。【０１４９】
つぎに、図１９または図２０の状態で、電子機器の本体１００の水深が５０ｃｍを検出すると、デジタル表示部１０７の表示内容を先ほどの『ＲＥＡＤＹ』の文字と、ダイバーが潜水していることをイメージするアニメーションから、図２１に示したデジタル表示部１０７の状態に変更される。図２１において、デジタル表示部１０７の上段領域１１０１には現在時刻に関する情報『ａ１０：０９』（＝午前１０時９分）が表示されている。また、デジタル表示部１０７の下段領域１１０２には、下矢印を示し、これから潜水することをイメージしたアニメーションが表示されている。【０１５０】
また、秒針１０３は、電子機器の本体１００が稼働していることを示すために、何らの変更をせずに引き続き秒同期によって回動する。一方、分針１０４は、１２時の位置へ回動し、潜水時間を表示するための準備をおこなう。時針１０５は、６時の位置へ回動し、潜水モードを表す『ＤＩＶＥ』を指し示す。機能針１０６は、時計回りに回動し、１２時の方向を指し示す。この位置が最大潜水深度「０」を示す位置であり、潜水にあたって、最大潜水深度を指し示すための準備を整える。このように、指針では現在時刻を表示しなくなっているので、その代わりに、デジタル表示部１０７の上段領域１１０１には現在時刻に関する情報『ａ１０：０９』を表示することで、その補完をすることができる。【０１５１】
つぎに、図２１の状態で、電子機器の本体１００の深度が１００ｃｍを検出すると、デジタル表示部１０７の表示内容を図２１に示した内容から、図２２に示した内容を変更する。図２２では、分針１０４によってすでに潜水が開始され約７分が経過した状態を示している。図２２において、デジタル表示部１０７の上段領域１２０１には、潜水モードのバージョン１を示す『１』と、潜水モードを示すアニメーション（ダイバーが潜水している様子を示している）が表示されている。また、デジタル表示部１０７の中段領域１２０２には、現在時刻（『Ａ１０：１６』（＝午前１０時１６分））が表示されている。また、デジタル表示部１０７の下段領域１２０３には、現在深度（『１０．８Ｍ』（＝１０．８メートル））が表示されている。また、この潜水活動中に到達した最大潜水深度は、機能針１０６によって示されている。【０１５２】
以上説明したように、本実施の形態によれば、回転または回動する指針１０３〜１０６と、文字、記号などの情報を電気光学的に表示するデジタル表示部１０７と、を備え、デジタル表示部１０７に表示されている表示内容を変更して表示する表示制御部３０４と、水を検出する水検出部３０１と、第１の水深に達したことを検出する第１水深検出部３０２と、第１の水深よりも深い第２の水深に達したことを検出する第２水深検出部３０３と、を備え、表示制御部３０４が、水検出部３０１によって検出された結果、第１水深検出部３０２によって検出された結果および第２の水深検出部３０３によって検出された結果に基づいて、デジタル表示部１０７に表示されている表示内容をそれぞれ変更する。また、駆動制御部３０５が、現在時刻または所定の物理量を表示するように指針１０３〜１０６の回転または回動を制御するとともに、第１水深検出部３０２によって検出された結果に基づいて、指針１０３〜１０６を所定の位置へ回動させる。そのため、通常の時刻表示モードと潜水モードとの自動切り替えを円滑にかつ確実におこなうことができる。【０１５３】
なお、上記実施の形態においては、電子機器について説明したが、この電子機器は、特に腕時計で有効である。また、本発明は、電子機器に限定されるものではなく、電子機器を内蔵した、カメラ、デジタルカメラ、デジタルビデオカメラ、などの携帯可能な情報端末装置であってもよい。
【産業上の利用可能性】
【０１５４】
以上のように、本発明にかかる電子機器および表示制御方法は、複数の表示手段を備えたあらゆる情報機器に有効であり、特に、複数種類の表示手段を備えた時計やダイブコンピュータなどの電子機器に用いるのに適している。
【図１−１】
0005103169.tif 000002
【図１−２】
0005103169.tif 000003
【図２】
0005103169.tif 000004
【図３】
0005103169.tif 000005
【図４】
0005103169.tif 000006
【図５】
0005103169.tif 000007
【図６】
0005103169.tif 000008
【図７】
0005103169.tif 000009
【図８】
0005103169.tif 000010
【図９】
0005103169.tif 000011
【図１０】
0005103169.tif 000012
【図１１】
0005103169.tif 000013
【図１２】
0005103169.tif 000014
【図１３】
0005103169.tif 000015
【図１４】
0005103169.tif 000016
【図１５】
0005103169.tif 000017
【図１６】
0005103169.tif 000018
【図１７】
0005103169.tif 000019
【図１８】
0005103169.tif 000020
【図１９】
0005103169.tif 000021
【図２０】
0005103169.tif 000022
【図２１】
0005103169.tif 000023
【図２２】
0005103169.tif 000024